(57)【要約】【目的】  保険証が有効であるか否かを簡便に認証できる保険承認証システムを提供する。【構成】  保険証読取器１０にて保険証４０の保険者情報記載面を保険証画像データとして読み取る。認証処理装置２０は、この読み取った保険証画像データと予め記憶しておいた保険証４０のテンプレートとを照合した後、保険証４０の種類を特定し、必要な文字列のみを光学的に読み取って保険者情報を編集可能な文字データに変換する。そして、この保険者情報が過去に読み込まれたことのある保険者情報であるか否かを判別した後、保険者情報管理サーバ３０へネットワーク通信網を介して保険者情報の照合判別をし、この照合判別に基づく認証結果から保険証４０が有効であるか否かの判別を行う。【選択図】  図１
2007048146.tif 000002
【特許請求の範囲】
【請求項１】
各種保険証の保険者情報を読み取る保険証読取器と、
被保険者の保険者情報を登録した保険者情報データベースを格納し、外部からの問い合わせによる保険者情報が有効であるか否かを照合判別し、この照合判別に基づく認証結果を出力する保険者情報管理サーバと、
前記保険証読取器で読み取った保険者情報が有効であるか否かを前記保険者情報管理サーバに問い合わせし、この問い合わせによる前記認証結果に基づいて前記保険証が有効であるか否かを判別する認証処理装置と、
で構成されることを特徴とする保険証認証システム。
【請求項２】
保険証の保険者情報記載面を読み取り、該読み取った保険者情報記載面をデジタル信号に変換し保険証画像データとして出力する保険証読取器と、
被保険者の保険者情報を登録した保険者情報データベースを格納し、外部からの問い合わせによる保険者情報が有効であるか否かを照合判別し、この照合判別に基づく認証結果を出力する保険者情報管理サーバと、
前記保険証読取器から出力された保険証画像データから認証に必要な保険者情報を光学的に読み取り、該保険者情報が有効であるか否かを前記保険者情報管理サーバに問い合わせし、この問い合わせによる前記認証結果に基づいて前記保険証が有効であるか否かを判別する認証処理装置と、
で構成されることを特徴とする保険証認証システム。
【請求項３】
前記認証処理装置は、前記保険証読取器から出力された前記保険証画像データと予め記憶した保険証のテンプレートとを照合して保険証の種類を特定し、この特定した保険証の種類に応じた読取箇所の保険者情報を光学的に読み取り、この読み取った保険者情報を編集可能な文字データに変換することを特徴とする請求項２記載の保険証認証システム。
【請求項４】
前記編集可能な文字データに変換された保険者情報は、前記保険証画像データにおける特定の読取項目近傍に配置して編集処理を行うオーバーレイ方式または前記保険証画像データにおける特定の読取項目を別表示して編集処理を行う項目直接入力方式で表示されることを特徴とする請求項３記載の保険証認証システム。
【発明の詳細な説明】
【技術分野】
【０００１】
本発明は、病院で診察時に提出する保険証を認証する保険証認証システムに係り、特に患者が診察受付時に提出する保険証が有効であるか否かを簡便に認証することのできる保険証認証システムに関するものである。
【背景技術】
【０００２】
現在、患者が医療機関若しくは処方箋受付薬局を利用する場合、患者は、保険医療機関及び保険医療養担当規則の第１章第３条（受給資格の確認）に従い、月に１回受付窓口において本人若しくは家族が加入している保険証を提示している。
【０００３】
図５は、患者が病院へ来院して保険証の確認をするまでの一例を示すフローチャート図である。図５に示すように、患者が来院した病院を初めて利用する場合または前回の保険証提示日から月が変わっている場合若しくは保険証提示日から一定期間以上経過している場合、まず患者は、病院の受付窓口で保険証を提示する（ＳＴ１０１）。受付は、提示された保険証に記載されている保険者情報を確認し（ＳＴ１０２）、その内容を元に初診の患者か再来の患者かの確認を行う（ＳＴ１０３）。再来患者の場合、保険者情報の変更や期限切れなどを再度確認し、必要に応じて内容を修正し（ＳＴ１０４）、保険証を返却する（ＳＴ１０５）。そして、受付は、患者の診察及び治療が終了すると、保険者情報に基づいて診察、治療に応じた医療費を算定し、患者に対して医療費の請求を行う。
【０００４】
一方、初診の患者の場合、まず受付において、提示された保険証に記載された保険者情報を紙カルテや電子カルテなどに手書きまたは手入力して患者の保険者情報を登録し（ＳＴ１０６）、保険証を返却する（ＳＴ１０５）。そして、受付は、患者の診察及び治療が終了すると、保険者情報に基づいて診察、治療に応じた医療費を算定し、患者に対して医療費の請求を行う。
【０００５】
また、複数の診療科や薬局部門を備える総合病院や大学病院において、患者が来院してから診察を終了するまでの一連の流れとしては、まず患者は、診察券を自動再来受付機に投入し、受診予約確認で診察受付伝票を受け取る。そして、受け取った受付伝票に該当する診療科の受付に提出し、診療科で診療及び治療を受けた後処方箋を受け取り、処方箋と健康保険証を会計受付に提示して診療報酬を支払い、投薬された場合には薬局部門や外部処方箋受付薬局で薬代を払って薬を受け取っている。
【発明の開示】
【発明が解決しようとする課題】
【０００６】
ところで、病院や処方箋受付薬局が受け取る診療報酬や薬代は、患者が持参する健康保険証の記載内容を基に、患者が加入する保険種別（健康保険組合、国民健康保険組合など）と、患者本人とその家族の違い、高齢者と一般人との違いなどから自動的に算定される。そして、診療報酬や薬代は健康保険証の記載内容を基にして、患者本人からその自己負担分を徴収し、差額を患者が所属する保険組合から徴収している。
【０００７】
しかしながら、現状の診療報酬料・薬代の徴収は、健康保険証の記載内容を元に算定されるため、患者が持参した健康保険証の保険料未払い等で健康保険証が失効していた場合には、医療機関や薬局は健康保険組合への支払請求時に健康保険組合より有効・無効の判断が下され、無効の場合はその医療行為や薬代に対する差額が支払われず、医療機関または薬局の負担になるという問題があった。
【０００８】
また、月に１回病院の受付窓口において提示された保険証の確認を行う場合、まず受付事務員が保険証を視認し、使用者の続柄、保険証の記号、番号、交付日、被保険者氏名、読み仮名、性別、生年月日、有効期限、保険者番号などの保険者情報を所定の書類に手書きで記入またはパソコン等に手入力しなくてならず作業時間を要し煩雑である上、記入ミスや入力ミスなどが起こる可能性があった。
【０００９】
さらに、受付対応時間の短縮を図るために再来患者用の自動再来受付機を備えた総合病院や大学病院を利用する場合、まず診察券を自動再来受付機に投入し、受診予約確認で診察受付伝票を受け取ってから保険証の提示ために受付窓口へ行かなければならず面倒であった。
【００１０】
そこで、本発明は上記問題点に鑑みてなされたものであり、簡便に、且つ、リアルタイムで保険証の有効または無効の認証が行えるとともに、患者の利便性を向上させることのできる保険証認証システムを提供することを目的とするものである。
【課題を解決するための手段】
【００１１】
上記した目的を達成するために、請求項１記載の保険証認証システムは、各種保険証の保険者情報を読み取る保険証読取器と、
被保険者の保険者情報を登録した保険者情報データベースを格納し、外部からの問い合わせによる保険者情報が有効であるか否かを照合判別し、この照合判別に基づく認証結果を出力する保険者情報管理サーバと、
前記保険証読取器で読み取った保険者情報が有効であるか否かを前記保険者情報管理サーバに問い合わせし、この問い合わせによる前記認証結果に基づいて前記保険証が有効であるか否かを判別する認証処理装置と、
で構成されることを特徴とする。
【００１２】
請求項２記載の保険証認証システムは、保険証の保険者情報記載面を読み取り、該読み取った保険者情報記載面をデジタル信号に変換し保険証画像データとして出力する保険証読取器と、
被保険者の保険者情報を登録した保険者情報データベースを格納し、外部からの問い合わせによる保険者情報が有効であるか否かを照合判別し、この照合判別に基づく認証結果を出力する保険者情報管理サーバと、
前記保険証読取器から出力された保険証画像データから認証に必要な保険者情報を光学的に読み取り、該保険者情報が有効であるか否かを前記保険者情報管理サーバに問い合わせし、この問い合わせによる前記認証結果に基づいて前記保険証が有効であるか否かを判別する認証処理装置と、
で構成されることを特徴とする。
【００１３】
請求項３記載の保険証認証システムは、請求項２記載の保険証認証システムにおいて、前記認証処理装置は、前記保険証読取器から出力された前記保険証画像データと予め記憶した保険証のテンプレートとを照合して保険証の種類を特定し、この特定した保険証の種類に応じた読取箇所の保険者情報を光学的に読み取り、この読み取った保険者情報を編集可能な文字データに変換することを特徴とする。
【００１４】
請求項４記載の保険証認証システムは、請求項３記載の保険証認証システムにおいて、前記編集可能な文字データに変換された保険者情報は、前記保険証画像データにおける特定の読取項目近傍に配置して編集処理を行うオーバーレイ方式または前記保険証画像データにおける特定の読取項目を別表示して編集処理を行う項目直接入力方式で表示されることを特徴とする。
【発明の効果】
【００１５】
本発明の保険証認証システムによれば、患者が提示した保険証が有効であるか否かをネットワーク通信網を介してリアルタイムに検証することができるため、無効な保険証の利用により医療行為や薬代に対する差額が支払われず、医療機関または薬局の負担となることを防止することができる。また、必要な保険者情報を正確に文字データ化することができるため、作業時間を短縮し、且つ、記入ミスや入力ミスなどがなくなり、受付での作業効率を向上させる効果を奏する。
【００１６】
さらに、自動再来受付機に保険証読取器を具備しておくことで、自動再来受付機を備え付けた総合病院や大学病院などの大規模な病院では、診察券で再来受付すると同時に保険証の認証が行えるため、保険証確認のために受付窓口へ出向く必要がなくなり、より診察までの時間を短縮することができる。
【発明を実施するための最良の形態】
【００１７】
以下、本発明の最良の形態について、添付した図面を参照しながらそれぞれ説明する。図１は本発明に係る保険証認証システムの概略を示すシステム構成図、図２は本発明に係る保険証認証システムの画像処理例を示す説明図、図３は図２と異なる画像処理例を示す説明図、図４は本発明に係る保険証認証システムの動作の一例を示すフローチャート図である。
【００１８】
本例の保険証認証システムは、月に１回患者に交付された保険証の提示する病院や処方箋受付薬局などに採用され、患者が提示した保険証の保険者情報記載面から保険者情報を読み取って編集可能な文字データ化し、この保険者情報が有効であるか否かを判別するため対応する保険者情報管理サーバに問い合わせをして登録されている保険者情報と照合判別して保険証の有効／無効の確認を行うものである。
【００１９】
本例で使用される保険証は、現在日本国内で交付されている例えば地域保険の保険証である国民健康保険証、被用者保険の保険証である社会保険証、共済組合保険証などの患者またはその家族が加入している各種健康保険の保険証を示している。また、保険者情報は、各種保険証に記載された使用者の続柄、保険証の記号、番号、交付日、被保険者氏名、読み仮名、性別、生年月日、有効期限、保険者番号などを示している。
【００２０】
まず、図１〜図３を参照しながら、本例の保険証認証システムの構成について説明する。図１に示すように、保険証認証システム１は、保険証読取器１０と、認証処理装置２０と、複数の保険者情報管理サーバ３０とで概略構成される。保険証認証システム１は、保険証読取器１０が通信ケーブルを介して認証処理装置２０と接続され、認証処理装置２０は保険証４０の種類に応じた保険者情報管理サーバ３０と相互通信可能なネットワーク通信網（例えばインターネット網やＬＡＮ、ＷＡＮなど）を介して無線または有線接続されている。
【００２１】
保険証読取器１０は、例えば反射型フラットベッドスキャナなどのスキャン機能を有する画像読取器で構成される。保険証読取器１０は、例えばＲＳ−２３２Ｃなどの通信インターフェースで構成される入出力手段を備えており、通信ケーブルを介して認証処理装置２０と接続されている。保険証読取器１０は、患者が持参した保険証４０の保険者情報記載面を読み取り、この読み取った保険者情報記載面をデジタル信号に変換し、その信号を保険証画像データとして認証処理装置２０に出力する。
【００２２】
認証処理装置２０は、入出力手段２１と、表示手段２２と、入力手段２３と、通信手段２４と、記憶手段２５と、画像処理手段２６と、照合判別手段２７と、制御手段２８とを備えた例えばパソコンなどの端末装置で構成される。認証処理装置２０は、保険証読取器１０から出力された保険証画像データに基づいて各種処理を行い、保険証画像データから保険者情報を読み取った後、保険者情報管理サーバに保険者情報が有効であるか否かの問い合わせを行う。
【００２３】
入出力手段２１は、保険証読取器１０の入出力手段と同仕様の例えばＲＳ−２３２Ｃなどの通信インターフェースで構成され、通信ケーブルを介して保険証読取器１０から保険証画像データなど各種データの入出力を行う。
【００２４】
表示手段２２は、例えばＣＲＴモニタや液晶ディスプレイなどの表示機器で構成され、保険証読取器１０から出力された保険証画像データの表示やシステム操作画面の表示など保険証認証システム１を使用する際に必要な各種画面を表示する。
【００２５】
入力手段２３は、例えばテンキーや文字入力キーなどの各種入力キーを備えたキーボードなどで構成され、画像処理手段２６によって処理された保険証画像データの修正など保険証認証システム１で必要となるデータを入力する際に使用する。
【００２６】
通信手段２４は、無線または有線用の通信インターフェースで構成され、保険証読取器１０で読み取った保険証４０の種類に応じた保険者情報管理サーバ３０とネットワーク通信網を介して暗号化通信をする。
【００２７】
ここで、信号の暗号化処理について説明する。暗号化とは、入出力データや暗証番号を決まった規則に従ってデータを変換して第三者に盗み見られたり改竄されないようにすることである。この暗号化には、暗号表に当たる「鍵」を使うが、対になる２つの鍵を使う公開鍵暗号と、どちらにも同じ鍵を用いる秘密鍵暗号がある。公開鍵暗号としては、例えばＲＳＡ（Rivest Shamir Adleman ）、ＥｌＧａｍａｌ暗号、楕円曲線暗号などがある。秘密鍵暗号としては、例えばアメリカ政府標準のＤＥＳ（Data Encryptncryption Standard）や、ＩＤＥＡ（International Data Encryption Algorithm ）、ＦＥＡＬ（Fast data Encipherment ALgorihtmｅ）、ＭＩＳＴＹなどがある。また、上記公開鍵暗号、秘密鍵暗号を用いた処理の他、スクランブル処理などを用いることができる。
【００２８】
記憶手段２５は、例えば磁気的、光学的記憶媒体若しくはＲＯＭ、ＲＡＭなどの半導体メモリで構成される。この記憶手段２５は、保険証認証システム１が動作する上で必要な駆動制御情報の他、保険証読取器１０から出力された保険証画像データ、画像処理手段２６で画像処理する際に使用される各種保険証４０用のテンプレート、保険証画像データから読み取った保険者情報、各種保険証４０に応じた保険者情報管理サーバ３０へ接続する際に必要なサーバ情報、保険証読取器１０で読み取った保険証が新規であるか再来であるかの判別結果、読み取った保険者情報の読取履歴、保険者情報管理サーバ３０から出力された保険者情報の照合判別に基づく判別結果など、保険証認証システム１に係る各種情報やシステム起動に関する種々のプログラムなどを記憶している。
【００２９】
画像処理手段２６は、光学式文字読取機能（ＯＣＲ（Optical Character Reader））機能）を有し、まず保険証読取器１０で読み取った保険証画像データをカラー分離／白黒２値化し、画像の向きを自動補正して保険証に記載された全文を認識する。そして、この認識した文字と記憶手段２５に記憶された各種保険証４０のテンプレートとを照合して各保険証４０ごとに異なる読取箇所を特定し、この特定した箇所の文字を文字認識処理して編集処理可能な文字データに変換する。また、画像処理手段２６は、表示手段２２に表示させた文字データを入力手段２３を用いて修正や変更などの編集処理を行うため、例えば図２に示すように、保険証読取器１０で読み取った保険証画像データにおける特定の読取項目近傍に文字データを配置して編集処理を行うオーバーレイ方式や、図３に示すように、保険証読取器１０で読み取った保険証画像データにおける特定の読取項目を別表示して編集処理を行う項目直接入力方式などを採用している。
【００３０】
照合判別手段２７は、保険証読取器１０で読み取った保険証４０の保険者情報が、過去に読み取ったことのある保険者情報であるか否かの照合判別し、照合に基づく判別結果を記憶手段２５に出力する。また、照合判別手段２７は、保険者情報管理サーバ３０から出力される保険証４０の認証結果に基づいて、保険証読取器１０で読み取った保険証４０が現在有効であるか否かの判別を行い、この判別結果に応じた判別情報を記憶手段２５に出力するとともに、結果に応じた表示情報を表示手段２２に出力する。
【００３１】
制御手段２８は、例えばＣＰＵやＲＯＭ、ＲＡＭなどのマイクロコンピューターで構成され、各装置の動作処理に関する各種制御及び記憶手段２５に記憶されたシステム起動に関する種々のプログラム処理など、認証処理装置２０を構成する各手段を統括的に制御している。
【００３２】
保険者情報管理サーバ３０は、例えば保険事務局や共済保険組合などの公的機関に認可された保険証交付機関に構築され、保険に加入してる被保険者に関する様々な保険者情報を登録した保険者情報データベース３１を格納している。また、保険者情報管理サーバ３０は、ネットワーク通信網を介して相互通信可能な通信機能を有し、認証処理装置２０から出力された保険者情報と予め登録されている被保険者の保険者情報とを照合判別し、この照合判別に基づく認証結果を認証処理装置２０に出力している。
【００３３】
次に、図４を参照しながら、上述した保険証認証システム１を採用したときの処理動作について具体的事例を挙げて説明する。以下に説明する動作例では、自動再来受付機を備える総合病院や大学病院において、自動再来受付機に保険読取器を具備させ、受付窓口に設置し認証処理装置２０からインターネット網を介して保険証認証を行うものとし、患者が自動再来受付機を利用して診察を受ける場合の一連の流れについて説明する。
【００３４】
患者は、まず病院に備え付けられた自動再来受付機に出向き、自動再来受付機に具備された保険証読取器１０に保険証４０の保険者情報を読み取らせる（ＳＴ１）。保険証読取器１０は、保険証４０の保険者情報記載面をスキャンして、読み取った保険証４０の保険証保険証画像データを認証処理装置２０に出力する（ＳＴ２）。認証処理装置２０は、まず出力された保険証画像データがどの種類の保険証４０であるかを識別するため、記憶手段２５に記憶された保険証４０のテンプレートを用いて保険証４０の種類を特定する（ＳＴ３）。そして、保険証４０の種類が特定されると、画像処理手段２６は、特定時に使用した保険証４０のテンプレートに基づいて、読み取られた保険証画像データ中の必要な保険者情報の文字列のみを光学的に読み取る（ＳＴ４）。
【００３５】
ＳＴ４において、読み取った保険証画像データから必要な保険者情報が光学的に読み取られる、この保険者情報が初めて読み取られた保険者情報か過去に読み取られたことのある保険者情報であるかを判別する（ＳＴ５）。判別した結果、光学的に読み取られた保険者情報が過去に読み取られたことのある保険者情報であった場合は（ＳＴ５−Ｙｅｓ）、この保険者情報が前回読み取られたときの内容と一致するか否かの判別を行う（ＳＴ６）。判別した結果、保険者情報が一致した場合は（ＳＴ６−Ｙｅｓ）、その保険者情報が現在有効であるか否かを照合判別するため、保険者情報管理サーバ３０に問い合わせを行う（ＳＴ７）。一方、該当するが前回読み取ったときの内容と異なっている場合は（ＳＴ６−Ｎｏ）、編集処理して今回読み取った保険者情報の内容に書き換えた後（ＳＴ８）、保険者情報管理サーバ３０へ問い合わせを行う（ＳＴ７）。
【００３６】
また、ＳＴ５において、光学的に読み取られた保険者情報が初めて読み取られた保険者情報であった場合（ＳＴ５−Ｎｏ）は、読み取った保険者情報を記憶手段２５に登録した後（ＳＴ９）、保険者情報管理サーバ３０へ問い合わせを行う（ＳＴ７）。そして、認証処理装置２０は、保険者情報管理サーバ３０から保険証４０の認証結果を示す情報を入力し（ＳＴ１０）、この入力した認証結果に基づいて読み取った保険者情報が現在有効であるか否かの判別を行う（ＳＴ１１）。
【００３７】
認証した保険者情報が現在有効であると判別した場合（ＳＴ１１−Ｙｅｓ）、認証した保険証４０が有効であることを記録するため、有効を示す判別情報を記憶手段２５に出力するとともに、表示手段２２に有効であったことを示す表示情報を出力して保険証４０が有効であることを表示する（ＳＴ１２）。一方、認証した保険者情報が無効であると判別した場合は（ＳＴ１１−Ｎｏ）、認証した保険証４０が無効であることを記録するため、無効を示す判別情報を記憶手段２５に出力するとともに、表示手段２２に無効であったことを示す表示情報を出力して保険証４０が無効であることを表示する（ＳＴ１３）。
【００３８】
このように、上述した保険証認証システム１は、保険証読取器１０にて保険証４０の保険情報記載面を保険証画像データとして読み取り、この読み取った保険証画像データと予め記憶しておいた保険証４０のテンプレートと照合して保険証４０の種類を特定して必要な文字列のみを光学的に読み取る。そして、光学的に読み取った保険者情報が過去に読み取られたことのある保険者情報であるか否かを判別した後、保険者情報管理サーバ３０へネットワーク通信網を介して保険者情報の照合判別を行い、その照合判別に基づく認証結果から保険証４０が有効であるか否かの判別を行う。
これにより、患者が提示した保険証４０が有効であるか否かをリアルタイムに検証することができるため、保険証無効により医療行為や薬代に対する差額が支払われず、医療機関または薬局の負担となることを防止することができる。
【００３９】
また、必要な保険者情報を正確に文字データ化することができるため、作業時間を短縮し、且つ、記入ミスや入力ミスなどがなくなり、受付での作業効率を向上させる効果を奏する。さらに、自動再来受付機に保険証読取器１０を具備しておくことで、自動再来受付機を備え付けた総合病院や大学病院などの大規模な病院では、診察券で再来受付すると同時に保険証４０の認証が行えるため、保険証確認のために受付窓口へ出向く必要がなくなり、より診察までの時間を短縮することができる。
【００４０】
ところで、上述した保険証認証システムは、認証処理装置から保険者情報管理サーバへ保険者情報が有効であるか否かの問い合わせし、その認証結果に基づいて保険証が有効であるか否かの判別を行ってるが、これに限定されることなく、システム導入時に全ての保険者情報管理サーバから保険者情報をダウンロードしておき、例えば月初や月末に各保険者情報管理サーバから更新された保険者情報のみをダウンロードするようにすれば、より簡易的な構成で保険証システムを構築することができる。
【００４１】
また、上述した保険証認証システムでは、保険証に記載された保険者情報をスキャンして画像データ化し、この読み取った保険証画像データと予め記憶しておいた保険証のテンプレートと照合して保険証の種類を特定して必要な文字列のみを光学的に読み取るとしたが（図４中のＳＴ１〜ＳＴ４の処理）、これに限定されることはなく、例えば保険証に保険者情報を記憶したＩＣチップを搭載したり保険者情報を２次元コード化しておき、ＩＣチップや２次元コードに対応した保険証読取器を用いて保険証から保険者情報を読み取ってもよい。この場合、読み取った後の処理は、図４のＳＴ５以降の処理と同様である。
【産業上の利用可能性】
【００４２】
本発明の保険証認証システムは、保険証の保険者情報記載面の必要事項のみを光学的に読み取って保険者情報を文字データ化し、このデータ化した保険者情報をネットワーク通信網を介して保険者情報管理サーバと通信して保険者情報の有効か否かのを認証判別をしている。このため、本発明の保険証認証システムと、病院或いは処方箋受付薬局において作成される電子カルテやレセプトコンピュータ、医療事務システムなどを接続して１つのシステムとして構築することにより、保険者情報を文字データとしてデータ転送でき、且つ、常に保険証の有効が認証済の保険者情報を共有して使用することができるため、業務の効率を向上させることができる。
【００４３】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００４４】
【図１】本発明に係る保険証認証システムの概略を示すシステム構成図である。
【図２】本発明に係る保険証認証システムの画像処理例を示す説明図である。
【図３】図２と異なる画像処理例を示す説明図である。
【図４】本発明に係る保険証認証システムの動作の一例を示すフローチャート図である。
【図５】従来の保険証確認の流れを示すフローチャート図である。
【符号の説明】
【００４５】
１  保険証認証システム
１０  保険証読取器  
２０  認証処理装置
２１  入出力手段
２２  表示手段
２３  入力手段
２４  通信手段
２５  記憶手段
２６  画像処理手段
２７  照合判別手段
２８  制御手段
３０  保険者情報管理サーバ
３１  保険者情報データベース
４０  保険証
【図１】
2007048146.tif 000003
【図４】
2007048146.tif 000004
【図５】
2007048146.tif 000005
【図２】
2007048146.tif 000006
【図３】
2007048146.tif 000007